Podtech/llm-jp-corpus-v4-ja_patent huggingface dataset:
(57)【要約】      （修正有）【課題】構造が簡単で、使いやすく、人々がただちに大小便を行うことができる小便用応急装置を提供する。【解決手段】便座１を含み、便座の上に、お尻を便座に座らせるための下通孔を設け、下通孔に容器を掛けるための係合装置を設ける。容器は、主にビニール袋となる。係合装置とは、下通孔の縁辺のスナップリング３が、上蓋４が便座１と係合している時、上蓋４が便座１に対して押さえ掛けることで、ビニール袋を吊り掛けられる。【選択図】図１
0003199812.tif 000002
【実用新案登録請求の範囲】
【請求項１】
小便用応急装置に関し、それは、便座を含み、前記便座の上に、お尻を便座に座らせるための下通孔を設けて、前記下通孔に容器を掛けるための係合装置を設けることを特徴とする、小便用応急装置
【請求項２】
前記便座の上端面に、前記便座に対応する上蓋を設けて、前記上蓋が下通孔に対応する位置でお尻を便座に座らせるための上通孔を設けることを特徴とする請求項１に記載の小便用応急装置。
【請求項３】
前記便座の一端は、前記上蓋の一端と接続することを特徴とする請求項２に記載の小便用応急装置。
【請求項４】
前記便座の側面は、"S"形の結構となることを特徴とする請求項１に記載の小便する応急装置。
【考案の詳細な説明】
【技術分野】
【０００１】
本考案は、大小便の装置に関し、特に、小便用応急装置に関する。
【背景技術】
【０００２】
現在、人類にとって、大小便は、やはり個人秘密の事に属して、必ず別々男性の便所で或いは女性の便所へ行かなければならない；その上大小便はよくやはり比較的制御しにくい。しかしながら、日常の仕事の時と日常の生活の中で、人々がよく便所で排尿排便をできなくなってしまうが、必ず解決しなければならない。特に、特殊な時又特別なグループに対して、例えば、長途旅路中の車内での時、病院の中で歩行することはできない患者などの状況、いかにおしっこ等を処理するかで、人間の生理と心理に対してもたらした不良の影響をいかに解決するか、解決すべき課題となる。
【考案の概要】
【考案が解決しようとする課題】
【０００３】
本考案の目的は、既存技術の欠点と不足を克服することであって、小便する応急装置を提供する。構造が簡単で、使いやすいため、人々がただちに大小便を行うことができる。その実用性は極めて高いものである。
【課題を解決するための手段】
【０００４】
上述した目的を達するために、本考案は、小便する応急装置を提供して、それは、便座を含み、前記便座の上に、お尻を便座に座らせるための下通孔を設け、前記下通孔に容器を吊り掛けるための係合装置を設ける。前記容器は、主にビニール袋となる。
【０００５】
好ましくは、前記便座の上端面に、前記便座に対応する上蓋を設け、前記上蓋が下通孔に対応する位置で上通孔を設ける。前記上蓋は、お尻との接触が衛生的になるのを助けるだけではなく、その上、前記上蓋は、前記便座と係合している時、ビニール袋を係合させる。
【０００６】
好ましくは、前記便座の一端は、前記上蓋の一端と接続し、それによって、前記上蓋を開けることに便宜を図る。
【０００７】
好ましくは、前記便座の側面は、"S"形の結構となっており、これは便利に使うためにだけではなく、全体の結構を更にコンパクトで美しくさせることができる。
【０００８】
使う時、ビニール袋を下から上に向き便座の下通孔を通させ、そして、上蓋を便座と係合させ、しかもビニール袋を押さえ付けて便座の下通孔の下に吊り下げる。その後、お尻を上蓋の上通孔に座り、必要であればマフラーなどで下半身を覆い隠し、大小便ができる。終わったら、上蓋を開けて、ビニール袋を係合装置から取り外して、処理することができる。
【０００９】
本考案は、おしっこを我慢することで、人間の生理と心理に対してもたらした不良の影響を解決し、心理的な圧力を排除し、保健の効果を備える。本考案に関わる製品が備えらえていれば、人々の心と体もを爽やかにすることができる。構造が簡単で、使いやすいため、人々がただちに大小便を行うことができ、極めて実用性が強いものである。
【図面の簡単な説明】
【００１０】
【図１】本考案による女子用の結構を示す図である。
【図２】本考案による女子用の背面結構を示す図である。
【図３】本考案による男子用の上蓋を開けた後の結構を示す図である。
【考案を実施するための形態】
【００１１】
以下、実施例と図面に基づき実施例について本考案を詳説するが、本考案の実施例に限定されるものではない。
図１と図２に示すように、本考案の小便する応急装置は、便座１を含み、前記便座１の上に、お尻を便座に座らせるための下通孔２を設け、前記下通孔２に容器を吊り掛けるための係合装置を設ける。前記容器は、主にビニール袋となる。前記係合装置とは、前記下通孔２の縁辺のスナップリング３が、前記上蓋４が前記便座１と係合している時、前記上蓋４が前記便座１に対して押さえ掛けることで、ビニール袋を吊り掛けられる。
【００１２】
図１と図２を参照して、前記便座１の上端面に、前記便座１に対応する上蓋４を設け、前記上蓋４が下通孔２に対応する位置で上通孔５を設ける。しかも、前記便座１の一端は、前記上蓋４の一端と接続し、それによって、前記上蓋４を開けることに便宜を図る。前記上蓋４は、お尻との接触において衛生的にならせるだけではなく、その上、前記上蓋４は、前記便座１と係合している時、ビニール袋を係合させる。前記便座１の側面は、"S"形の結構となって、これは便利に使うことができるだけではなく、しかも、全体の結構を更にコンパクトで美しくさせることができる。
【００１３】
図１と図２を参照して、小用等に使う時、ビニール袋を下から上に向け便座１の下通孔２を通させ、そして、上蓋４を便座１と係合させ、しかもビニール袋を押さえ付けさせ便座１の下通孔２の下に吊り下げる。その後、お尻を上蓋４の上通孔５に座り込ませ、マフラーなどで下半身を覆い隠して、大小便ができる。終わったら、前記上蓋４を開けて、ビニール袋をスナップリング３から取り外し、処理ができる。
【００１４】
図３は、本考案による男子用の上蓋を開けた状態の結構を示す図であって、女子用の結構を示す図２に対する図３の主な相違点は、"S"形の結構となる便座１の弧度及び、図３にあるスナップリング３が前記上蓋４の上通孔５の縁辺で設けられていることである。
【００１５】
本考案は、おしっこを我慢することで、人間の生理と心理に対してもたらした不良の影響を解決し、心理的な圧力を排除して、保健の効果を備える。本考案に関わる製品があれば、人々の心と体もを爽やかされることができる。構造が簡単で、使いやすいため、人々がただちに大小便を行うことができ、その実用性は極めて高いものである。
【００１６】
以上は、本考案を更に詳細に説明した。しかしながら、明らかに、本領域の当業者は、本考案に類似の種々実質なまた原理的にした変更、補正、置換、組合、簡素化されたものも、本考案の申請の範疇であるものと見なす。
【符号の説明】
【００１７】
１便座
２下通孔
３スナップリング
４上蓋
５上通孔
【図１】
0003199812.tif 000003
【図２】
0003199812.tif 000004
【図３】
0003199812.tif 000005
(57)【要約】      （修正有）【課題】深爪を防止できると共に、容易に使用できる爪切りを提供する。【解決手段】爪切り１の上刃３１と下刃２１の接触する箇所から挿入方向に設定距離だけ離間した箇所に爪止板６０を備える。爪止板を上材３０又は下材２０のいずれか一方に設けられた支持具６１によって、爪切り操作の支障がない箇所に固定する。支持具の位置を調整可能に固定すれば、切断時における爪の長さに対応して、深爪をすることなく十分に切ることができる。【選択図】図１
0003199613.tif 000002
【実用新案登録請求の範囲】
【請求項１】
上刃を備える上材と、下刃を備える下材と、前記上材を前記下材に向けて移動させる操作具とを備え、前記上刃と前記下刃との間に挿入方向から爪を挿入し、前記操作具を操作して前記上刃と前記下刃とによって爪を切断する爪切りであって、
前記上材と前記下材の間の、前記操作によって前記上刃の中央と前記下刃の中央との接触する箇所から前記挿入方向に設定距離だけ離間した箇所に爪止板を備えることを特徴とする、爪切り。
【請求項２】
前記爪止板は、前記上材又は前記下材のいずれか一方に設けられた支持具によって、前記操作によって移動する前記上材と接触しない箇所に固定されることを特徴とする、請求項１に記載の爪切り。
【請求項３】
前記支持具は、前記上材または前記下材のいずれか一方に、前記挿入方向の位置を調整可能に固定されることを特徴とする、請求項２に記載の爪切り。
【考案の詳細な説明】
【技術分野】
【０００１】
本考案は、爪切りに関する。
【背景技術】
【０００２】
爪切りを用いて爪を切る際には、深爪が問題となる。深爪を予防するため、特許文献１には、刃の先端側（爪を挿入する側）に深爪防止用凸部を設けた爪切りが開示されている。深爪防止用凸部と刃との間の距離の分だけは切断されない爪が残ることとなり、深爪が予防される。
【０００３】
一方、深爪防止用凸部は、爪の刃への挿入を妨げる。深爪予防のためにはそれでよいが、爪を切ろうとする者にとっては、違和感があり爪切りが使いづらいと感じる。
【０００４】
この点、特許文献２には、刃の内部にクッションを設けた爪切りが開示されている。違和感なく深爪が予防できるものである。
【０００５】
しかしながら、切断されない爪の長さでなく切断される爪の長さを制御することとなり、切断時における爪の長さによっては、爪を十分に切れないことや深爪をしてしまうことがありえる。
【先行技術文献】
【特許文献】
【０００６】
【特許文献１】特開２０１３−１５０７３６号公報
【特許文献２】特開２００１−１２８７２９号公報
【考案の概要】
【考案が解決しようとする課題】
【０００７】
本考案は、深爪を防止する爪切りであって、容易に使用できるものを提供することを課題とする。
【課題を解決するための手段】
【０００８】
本考案の爪切りは、
上刃を備える上材と、下刃を備える下材と、前記上材を前記下材に向けて移動させる操作具とを備え、前記上刃と前記下刃との間に挿入方向から爪を挿入し、前記操作具を操作して前記上刃と前記下刃とによって爪を切断する爪切りであって、
前記上材と前記下材の間の、前記操作によって前記上刃の中央と前記下刃の中央との接触する箇所から前記挿入方向に設定距離だけ離間した箇所に爪止板を備えることを特徴とする。
【０００９】
この特徴によれば、爪止板によって、爪が爪切りの中に深く入ってしまうことが防止される。深爪を防止することができる。
【００１０】
本考案の爪切りは、
前記爪止板は、前記上材又は前記下材のいずれか一方に設けられた支持具によって、前記操作によって移動する前記上材と接触しない箇所に固定されることを特徴とする。
【００１１】
この特徴によれば、爪止板が爪切りの操作の支障となることがない。
【００１２】
本考案の爪切りは、
前記支持具は、前記上材または前記下材のいずれか一方に、前記挿入方向の位置を調整可能に固定されることを特徴とする。
【００１３】
この特徴によれば、切断時における爪の長さに対応して爪止板の位置を調整し、深爪をすることなく十分に切ることができる。
【考案の効果】
【００１４】
本考案によれば、深爪を防止する爪切りであって、容易に使用できるものが提供される。
【図面の簡単な説明】
【００１５】
【図１】図１は、爪切りを示す図である。
【図２】図２は、爪切りの内部を示す断面図である。
【図３】図３は、爪切りの使用状態を示す図である。
【考案を実施するための形態】
【００１６】
以下、本考案の床尾板の実施例を示す。
【００１７】
図１は、爪切りを示す図である。爪切り１は、下刃２１を有する下材２０、上刃３１を有する上材３０、操作具４０を含んで構成される。操作具４０がシャフト５０の上端に支持され、回転して上材３０を下方に押すことで上刃３１が下刃２１に接触し、上刃３１と下刃２１とで爪を挟んで切断する。
【００１８】
上刃２１の中央と下刃３１の中央との接触する箇所から挿入方向（爪を挿入する方向：図面左から右に向かう方向）に離間した箇所に爪止板６０が設けられている。爪止板６０は支持具６１によって位置を固定され、支持具６１は位置調整具６２によって下材２０に位置調整可能に固定されている。下材２０に孔２２が設けられており、位置調整具６２は孔２２を貫通するネジである。孔２２を図面左右方向に長い形状とすれば、位置調整具６２（支持具６１、爪止板６０）を、図面左右方向に位置を調整して固定することができる。
【００１９】
位置調整具６２により、爪止板６０を切断時の爪の長さに合わせた位置に固定して、深爪をすることなく、十分に爪切りを行うことができる。なお、位置調整具６２を用いずに、爪止板６０の位置が固定されていてもよい。例えば毎週1回のように定期的に爪切りを行うならば切断時の爪の長さが一定であるためである。
【００２０】
図２は、爪切りの内部を示す断面図である。図１におけるＡ−Ａ線の断面を示す。支持具６１はシャフト５を迂回して設置されている。シャフト５に影響されずに位置調整具６２を用いた調整が可能である。上刃３１及び下刃２１の接点と爪止板６０との距離Ｗが調整される。
【００２１】
図３は、爪切りの使用状態を示す図である。操作具４０によって上刃３１と下刃２１とを接触させた状態を示す。上刃３１及び下刃２１の接点と爪止板６０との距離Ｗだけの爪が切断されることとなる。
【００２２】
以上詳細に説明したように、本考案の爪切りによれば、爪止板６０によって深爪が予防され、爪を十分に切断することが容易である。
【産業上の利用可能性】
【００２３】
容易に使用でき、深爪を防止する爪切りである。多くの個人による利用が考えられる。
【符号の説明】
【００２４】
１    爪切り
２０  下材
２１  下刃
２２  孔
３０  上材
３１  上刃
４０  操作具
５０  シャフト
６０  爪止板
６１  支持具
６２  位置調整具
【図１】
0003199613.tif 000003
【図２】
0003199613.tif 000004
【図３】
0003199613.tif 000005
(57)【要約】【課題】ハンガーに衣類を掛ける際、衣類が風に飛ばされることを防ぐ。また、衣類を簡単に掛け外し作業を行いたい。【解決手段】衣類用ハンガー（Ａ）の内部に衣類抑え具（Ｂ）を衣類用ハンガー（Ａ）の端から端に湾曲して備える。  衣類抑え具（Ｂ）は弓矢の弓のようにしなる構造を持っている。  衣類抑え具（Ｂ）が下方向にしならせた時、衣類（Ｃ）を固定する。  また、上方向にしならせた時、衣類（Ｃ）を開放する。このような構造を利用して、衣類用ハンガー（Ａ）に容易に衣類を掛けることが出来る。  また、衣類抑え具（Ｂ）で衣類（Ｃ）を抑えることにより、強風で衣類が飛ばされたり、落下したりすることを防ぐ。【選択図】図１
0003199607.tif 000002
【実用新案登録請求の範囲】
【請求項１】
衣類用ハンガーの内側に衣類用ハンガーの端から端まで、しなる性質を持った板状の抑え具を湾曲させて設置し、衣類抑え具のしなりを利用し、衣類抑え具を下側にしならせた時、抑え具と衣類をかける部分との間に衣類を挟み込み、上側にしならせた時、解除するという開閉機能を持った衣類用ハンガー。
【考案の詳細な説明】
【技術分野】
【０００１】  衣類用ハンガー
【背景技術】
【０００２】これまでの衣類用ハンガーは衣類が風によって飛ばされたりずれ落ちたりすることがあった。
【考案の概要】
【考案が解決しようとする課題】
【０００３】ハンガーに衣類を掛ける際、衣類が風に飛ばされることを防ぐ。また、衣類を簡単に掛け外し作業を行いたい。
【課題を解決するための手段】
【０００４】衣類用ハンガーの内側に抑え具を備え、衣類を固定する。
【考案の効果】
【０００５】衣類用ハンガーに衣類を掛ける時に内側に抑え具を備え付けることにより、風に飛ばされないようにする。
また、抑え具が広い設計になっているので、衣類が掛けやすい。
【図面の簡単な説明】
【０００６】
【図１】正面図
【図２】正面図（分解）
【図３】正面図（稼働）
【考案を実施するための形態】
【０００７】衣類用ハンガー（Ａ）の内部に衣類抑え具（Ｂ）を衣類用ハンガー（Ａ）の端から端に湾曲して備える。  衣類抑え具（Ｂ）は弓矢の弓のようにしなる構造を持っている。  衣類抑え具（Ｂ）が下方向にしならせた時、衣類（Ｃ）を固定する。  また、上方向にしならせた時、衣類（Ｃ）を開放する。
【実施例】
【０００８】衣類用ハンガー（Ａ）の内部に衣類抑え具（Ｂ）を衣類用ハンガー（Ａ）の端から端に湾曲して備える。  衣類抑え具（Ｂ）は弓矢の弓のようにしなる構造を持っている。  衣類抑え具（Ｂ）が下方向にしならせた時、衣類（Ｃ）を固定する。  また、上方向にしならせた時、衣類（Ｃ）を開放する。
このような構造を利用して、衣類用ハンガー（Ａ）に容易に衣類を掛けることが出来る。  また、衣類抑え具（Ｂ）で衣類（Ｃ）を抑えることにより、強風で衣類が飛ばされたり、落下したりすることを防ぐ。
【産業上の利用可能性】
【０００９】衣類用ハンガーの内部に抑え具を備えることで、衣類が風で飛ばされることを防ぎ、抑え具は広く設計されている為、衣類が掛けやすい構造を実現している。
【符号の説明】
【００１０】Ａ  衣類用ハンガー
Ｂ  衣類抑え具
ｂ−１  衣類抑え具（側面図）
ｂ−２  衣類抑え具（正面図）
Ｃ  衣類
【図１】
0003199607.tif 000003
【図２】
0003199607.tif 000004
【図３】
0003199607.tif 000005
(57)【要約】      （修正有）【課題】各係止片により、内寸法を測った後、そのまま材料（柱や鴨居等）の端面に係止片を当接するだけで、簡単に必要な寸法にカットできる内寸定規を提供する。【解決手段】棒状定規本体２内に、伸縮自在な棒状スライド定規を設けると共に、棒状定規本体の後端部に、加工する材料の端面に係止する後端係止片４を設けてなることを特徴とする。【選択図】図１
0003199603.tif 000002
【実用新案登録請求の範囲】
【請求項１】
棒状定規本体内に、伸縮自在な棒状スライド定規を設けると共に、棒状定規本体の後端部に、加工する材料の端面に係止する後端係止片を設けてなることを特徴とする内寸定規。
【請求項２】
前記棒状スライド定規の先端部に、先端係止片を設けてなることを特徴とする請求項１記載の内寸定規。
【請求項３】
前記後端係止片および先端が、内寸を測る時は引っ込み、材料の端面に係止する時は突出することを特徴とする請求項２記載の内寸定規。
【請求項４】
前記後端係止片と前記先端係止片とを軸心に対して９０°角度をずらせて設けてなることを特徴とする請求項２又は３記載の内寸定規。
【考案の詳細な説明】
【技術分野】
【０００１】  本考案は、内寸定規に係止片を設け、材料加工を簡便にしてなる内寸定規に関するものである。
【背景技術】
【０００２】  従来の技術として、磁石により吸引可能であるとともに、略円弧、略Ｕ字形、略放物線など湾曲した断面を有する帯板状の下定規、磁石により吸引可能であるとともに、前記下定規とほぼ同一の湾曲した断面およびほぼ同一の長さを有する帯板状の上定規とを重ね、少なくとも前記下定規の先端と、前記上定規の基端とは磁力により吸引され前記下定規と前記上定規とはスライド可能に一体となっているものがある。（特許文献１参照）【０００３】  別の従来の技術として、扉の幅とほぼ等しい長さの水平バーを有し、下方開放とした扉枠の開口幅の調整に使用される内寸定規であって、水平バー両端に当接片を垂下させるとともに、この当接片下端に切り欠きを設け、この切り欠きは扉枠の戸当り取付用凹所に頭部を突出させて打ち込まれた係合ピンに係合するものがある。（特許文献２参照）
【先行技術文献】
【特許文献】
【０００４】
【特許文献１】  特開２０１１−１１５０３号公報
【特許文献２】  特開平０８−２９６３６９号公報
【考案の概要】
【考案が解決しようとする課題】
【０００５】  前記各従来技術は、内寸を測るのには問題ないが、材料を加工する時には本考案のような各係止片を設けていないため、不便であり、実用上問題がある。【０００６】  本考案は、前記問題点を解決するもので、各係止片により、内寸法を測った後、そのまま材料（柱や鴨居等）の端面に係止片を当接するだけで、簡単に必要な寸法にカットできる内寸定規を提供することを目的とする。
【課題を解決するための手段】
【０００７】  本考案は、前記目的を達成するために、棒状定規本体内に、伸縮自在な棒状スライド定規を設けると共に、棒状定規本体の後端部に、加工する材料の端面に係止する後端係止片を設けてなること。棒状スライド定規の先端部に、先端係止片を設けてなること。各係止片が、内寸を測る時は引っ込み、材料の端面に係止する時は突出すること。前記後端係止片と前記先端係止片とを軸心に対して９０°角度をずらせて設けてなること。
【考案の効果】
【０００８】１）、棒状定規本体の後端部に後端係止片を設けることにより、内寸測定値をそのまま示      すことができ、加工する材料の端面に当接し、棒状スライド定規の先端位置を材料      にペン等で示し、その場所をカットすることにより、ズレルことなく確実に材料を      加工できる。
２）、棒状スライド定規の先端部に先端係止片を設けることにより、棒状定規本体の係止      片が故障しても代用できる。
３）、定規に寸法を表示しなくても加工できる。
４）、後端係止片と先端係止片を９０°角度をずらせることにより、どちらも加工時に使      用できると共に、どちらかが破損しても使用できる。
【図面の簡単な説明】
【０００９】
【図１】  本考案の一実施例を示す内寸定規の正面図。
【図２】  本考案の一実施例を示す内寸定規の平面図。
【図３】  本考案の一実施例を示す内寸定規の先端係止部の底面図。
【図４】  本考案の一実施例を示す内寸定規の後端係止部の平面図。
【図５】  本考案の一実施例を示す内寸定規の寸法測定図。
【図６】  本考案の一実施例を示す内寸定規の加工状態図。
【考案の実施するための形態】
【００１０】  内寸定規１は、断面四角形の棒状本体内２に、伸縮自在な断面四角形の棒状スライド定規３を設けると共に、棒状定規本体２の後端部に、加工する材料の端面に係止する後端係止片４を設けてある。
また、棒状スライド定規の先端部に先端係止片５を設けてある。
後端係止片４と先端係止片５は基本的に同じ形状であり、
平板を折曲し、略Ｌ字形に形成した係止片４ａ１（５ａ１）とスライド片４ａ２（５ａ２）にとからなる係止本体４ａ（５ａ）のスライド片４ａ２（５ａ２）に係止片４ａ１（５ａ１）の厚さ寸法と同じ寸法の長孔４ｂ（５ｂ）を設け、ピンＰ（Ｐ１）にて厚さ寸法分スライド自在に固定してある。
また、係止片４ａ１（５ａ１）は、厚さ分切込溝Ｍ（Ｍ１）を形設してある。
なお、ネジ６にて、スライド定規３を固定してある。
【００１１】  つぎに、内寸定規１の使用例について説明する。
例えば、柱Ｈ・Ｈ間に内寸定規１を挿入し、棒状定規本体２側の係止片４ａ１を一方の柱Ｈの内側に当接し、棒状スライド本体３側の係止片５ａ１を他方の柱Ｈの内側に当接させ、ネジ６にて固定する。
この状態で、内寸定規１を柱Ｈ・Ｈ間より外し、例えば、鴨居材料Ｋの加工（切断）を行う場合、先端係止片５の係止片５ａ１を鴨居材料Ｋの端面Ｔに係止させ、右側に内寸定規１を移動させ、棒状定規本体２の端面ＴＭに沿って１コ（図示せず）を入れ、カットＳするものである。
なお、後端係止片４の係止片４ａ１を使用してもよく、同様の手順で加工できるものである。
【００１２】  上記実施例において、先端係止片５と後端係止片４は、どちらか一方を設けてもよく、両方設けてもよい。
また、各部材の材質は、特に限定することなく、アルミニウム・合成樹脂・木材等、色々考えられる。
さらに、棒状定規本体と棒状スライド定規の大きさや長さ等も必要に応じて決めればよい。
さらにまた、棒状定規本体及び棒状スライド定規に目盛を設けてもよく、レベル定規としても使用できるものである。
【産業上の利用の可能性】
【００１３】  基本的に、建設現場等での内寸定規として使用するものであるが、レベル定規としても使用でき、多目的定規として有効である。
また、内寸の限らず、材料を一定寸法数多くカット（加工）するときの墨付け定規としても有効である。
【符号の説明】
【００１４】  １―――内寸定規
２―――棒状定規本体
３―――棒状スライド本体
４―――後端係止片
５―――先端係止片
６―――ネジ
Ｈ―――柱
Ｋ―――鴨居材料
【図１】
0003199603.tif 000003
【図２】
0003199603.tif 000004
【図３】
0003199603.tif 000005
【図４】
0003199603.tif 000006
【図５】
0003199603.tif 000007
【図６】
0003199603.tif 000008
(57)【要約】      （修正有）【課題】ドアの鍵を対応するドア部分に安全な保管状態で常備できるドアノブカバーを提供する。【解決手段】ドアノブを操作できないように装着される有底筒状のドアノブカバー１において、筒状本体２の内部にドアノブに対応するドア錠の鍵８０を収納する鍵収納部９が設けられ、鍵収納部９が、筒状本体２の内周面に設けられる収納凹部７０と、筒状本体２の内周面の奥側を支点として開閉され収納凹部７０上部に嵌設されて閉じ状態とされる蓋体７１とから構成される。【選択図】図２
0003199609.tif 000002
【実用新案登録請求の範囲】
【請求項１】
ドアノブを操作できないように装着される有底筒状のドアノブカバーにおいて、
筒状本体の内部に前記ドアノブに対応するドア錠の鍵を収納する鍵収納部が設けられてなることを特徴とするドアノブカバー。
【請求項２】
前記鍵収納部が、前記筒状本体の内周面に設けられる収納凹部と、前記筒状本体の内周面の奥側を支点として開閉され前記収納凹部上部に嵌設されて閉じ状態とされる蓋体とから構成される請求項１記載のドアノブカバー。
【請求項３】
前記筒状本体の開口の周縁面に、マグネットプレートが取り付けられてなる請求項１記載のドアノブカバー。
【考案の詳細な説明】
【技術分野】
【０００１】  この考案は、ドアノブが操作できないように装着されるドアノブカバーに関する。
【背景技術】
【０００２】  例えば、マンションの賃貸業者は入室希望者がある場合マンションの空き部屋に案内し、その際には持参する鍵によりドアの解錠を行う。
【考案の概要】
【考案が解決しようとする課題】
【０００３】  したがって、空き部屋が多数あって鍵を間違った場合には解錠できず、また、他の者によって鍵が持ち出されている場合は空き部屋への案内が行えない不都合があった。【０００４】  この考案は、上記の事情に鑑みて行ったもので、ドアの鍵を対応するドア部分に安全な保管状態で常備できるようにすることを目的とする。
【課題を解決するための手段】
【０００５】  この考案では、ドアノブを操作できないように装着される有底筒状のドアノブカバーにおいて、筒状本体の内部にドアノブに対応するドア錠の鍵を収納する鍵収納部が設けられてなる構成とした。【０００６】  上記構成によれば、ドアの鍵がドアノブカバーの鍵収納部に収納できることで、使用する鍵を対応するドアの近くに常備できるようになる。【０００７】  とくに、鍵収納部が筒状本体の内周面に設けられる収納凹部と筒状本体の内周面の奥側を支点として開閉され収納凹部上部に嵌設されて閉じ状態とされる蓋体とから構成されることで、鍵が蓋体で覆われる収納凹部に収納され、鍵がドアノブカバー内の所定位置に安定収納される。また、蓋体の前部に指をかけることで蓋体の開閉動作が容易になされるとともに、蓋体を閉じた際には収納凹部に嵌設して鍵を覆う位置で安定配置される。【０００８】  さらに、筒状本体の開口の周縁面に、マグネットプレートが取り付けられてなる構成とされることで、鉄製のドアにマグネットプレート面で磁着させて保持させることができる。また、ドアノブカバーを物品上に載置する際に、マグネットプレートが弾性を持つことで、騒音を発することがないとともに、物品を傷つけることがない。
【考案の効果】
【０００９】  この考案によれば、ドアの鍵を対応するドア部分に安全な保管状態で常備できるようになる。
【図面の簡単な説明】
【００１０】
【図１】  この考案のドアノブカバーの実施形態の外観斜視図
【図２】  この考案のドアノブカバーの実施形態の断面図
【図３】  この考案のドアノブカバーの実施形態の内部構成を示す斜視図
【図４】  この考案のドアノブカバーの実施形態の蓋体開き時の内部構成を示す斜視図
【図５】  この考案のドアノブカバーの実施形態の蓋体開き時の断面図
【考案を実施するための形態】
【００１１】  図１はこの考案のドアノブカバーの実施形態の外観斜視図、図２は同断面図である。ドアノブカバー１は、有底の筒状本体２の開口縁に操作リング３と３個の把持レバー４とリング状のマグネットプレート６とが取り付けられるとともに、外周面の上部にダイヤル錠７が取り付けられ、さらに、筒状本体２の内部に鍵収納部９が設けられて構成されている。
【００１２】    環状リング３の前面の環状凹部に３個の把持レバー４が装着され、係止構造によって環状リング３は把持レバー４と連動する。マグネットブレート６は磁石粉を含有する合成ゴムよりなり、その背面がプレート部材１５面に接着剤や両面テープにより貼り付けられて取り付けられている。
【００１３】  ドアノブカバー１は、環状リング３を回転させることで把持レバー４それぞれが変位し、それらが形成する内径が小さくなることでドアノブからドア側に突出するドアノブロッド部分を把持し、この状態においてドアノブカバー１はドアノブから離脱できないようになる。このようにして、仮にドア錠が開かれた場合にもドアノブが回転操作できないことでドアが開かれないようになっている。ドアノブカバー１はマグネットプレート６が取り付けられていることで、鉄製のドアにおいてドアノブカバー１をドアノブに取り付け、取り外しする際、マグネットプレート６面でドア面に磁着させて保持させることができ便利である。さらに、ドアノブカバー１を下駄箱等の物品上に載置する際に、マグネットプレート６が弾性を持つことで、騒音を発することがなく、また、物品を傷つけることが防止される。
【００１４】  ダイヤル錠７はダイヤルリング２６それぞれが解錠番号に合わされることでスライド操作部２７での操作により作動軸２４を後退させ、これにより作動軸２４の先端部が環状リング３から外れる。この外れた状態において環状リング３が回転でき、これにより把持レバー４それぞれが開くことでドアノブからドアノブカバー１が取り外される。
【００１５】  鍵収納部９は、図３に示すように、筒状本体２の内周面の下部に設けられた収納凹部７０上に蓋体７１が設けられて構成されている。蓋体７１は筒状本体２の内周面の奥位置の一対の支点部７４を支点として開閉可能に設けられていて、図４、図５に示すように開かれ、その開閉動作が蓋体７１の前部７７に指をかけることで容易になされる。また、蓋体７１の横巾が収納凹部７０の横幅とほぼ等しくされ、両側に下方に突出する側部７２のそれぞれを備えていることで、閉じた際には収納凹部７０に側部７２が嵌設して鍵８０を覆う位置に安定配置される。このようにドアノブカバー１に鍵収納部９が設けられることで、使用する鍵８０を対応するドアの近くに常備でき、鍵８０を持ち運ぶ必要がなくなる。とくに、鍵８０が蓋体７１で覆われる収納凹部７０に収納されることで、鍵８０がドアノブカバー１内の所定位置に安定収納される。
【符号の説明】
【００１６】１    ドアノブカバー
９    鍵収納部
７０  収納凹部
７１  蓋体
８０  鍵
【図１】
0003199609.tif 000003
【図２】
0003199609.tif 000004
【図３】
0003199609.tif 000005
【図４】
0003199609.tif 000006
【図５】
0003199609.tif 000007
(57)【要約】      （修正有）【課題】遮光効果と傘面強度を増強した二層傘を提供する。【解決手段】二層傘は、中棒１、傘面３、および、複数の傘骨２を有する。傘骨一段目の適当な箇所に、穿設体４を設置し、且つ、穿設体は支持棒４１を設置し、傘骨ユニットの内部に、傘骨下方、および支持棒上に設置された第二傘面５を備え、遮蔽、および、傘面強度を増強する。【選択図】図２
0003199695.tif 000002
【実用新案登録請求の範囲】
【請求項１】
二層傘であって、
上ろくろ、下ろくろ、および、可動リングを有する中棒と、
前記上ろくろ、および、前記下ろくろに設置されると共に、放射状をなす複数の傘骨と、
前記傘骨上縁に設置される第一傘面と、
を有し、
前記傘骨前段に、穿設体を設置し、前記穿設体は、支持棒を設置し、前記傘骨内縁に、第二傘面を設置し、前記傘骨、および、前記支持棒に設置されていることを特徴とする二層傘。
【請求項２】
前記支持棒は前記傘骨下方に位置し、且つ、前記支持棒と前記傘骨は平行に設置されることを特徴とする請求項１に記載の二層傘。
【請求項３】
前記下ろくろ、および、前記可動リング間に、軟性スリーブを設置することを特徴とする請求項１に記載の二層傘。
【考案の詳細な説明】
【技術分野】
【０００１】
本考案は、二層傘に関するものであって、とくに、傘骨ユニットの一段目に、穿設体を設置すると共に、支持棒を連設して、傘骨ユニットの内面に、第二傘面を増設して、遮光効果と傘面強度を増強する目的を達成する二層傘に関するものである。
【背景技術】
【０００２】
現在の二層傘は、一傘面上に、もう一傘面を設置して、強度と抗風性を増強している。
しかし、従来の二層傘構造は、抗風強度が強いが、全体構造の応用において、使用する傘骨数量が、一般の単層傘の単一傘骨が使用する傘骨量と比較して多く、且つ、構造が複雑で、製造工程において、時間とコストがかかる。
【考案の概要】
【考案が解決しようとする課題】
【０００３】
本考案は二層傘を提供し、傘骨前段に穿設体を設置して、第二傘面の設置を実施して、遮光効果と傘面強度を増強することを目的とする。
【課題を解決するための手段】
【０００４】
上述の目的を達成するため、本考案の二層傘は、中棒、傘面、および、複数の傘骨から構成され、中棒は、複数の傘骨を設置し、傘骨外縁は傘面を設置し、その特徴は、傘骨前段に穿設体を設置し、穿設体は支持棒を設置し、且つ、支持棒と傘骨は平行に設置され、傘骨内縁は、第二傘面を設置し、傘骨、および、支持棒に設置される。
【考案の効果】
【０００５】
遮光効果と傘面強度が増強される。
【図面の簡単な説明】
【０００６】
【図１】本考案による傘骨構造の外観立体図である。
【図２】本考案による全体構造の外観立体図である。
【図３】本考案による部分構造の横断面図である。
【図４】本考案による部分構造の外観立体図である。
【図５】本考案による部分構造の横断面図(一)である。
【図６】本考案による部分構造の横断面図(二)である。
【考案を実施するための形態】
【０００７】
図１と図２に示されるように、本考案の二層傘は、上ろくろ１１、下ろくろ１２、および、可動リング１３を有する中棒１と、上ろくろ１１、および、下ろくろ１２に設置されると共に、放射状をなす複数の傘骨２と、傘骨２上縁に設置される第一傘面３と、を有する。その特徴は、傘骨２前段に、穿設体４を設置し、穿設体４は、支持棒４１を設置し、傘骨２内縁に、第二傘面５を設置し、傘骨２、および、支持棒４１に設置されている。
支持棒４１は傘骨２下方に位置し、且つ、支持棒４１と傘骨２は平行に設置されている。
下ろくろ１２、および、可動リング１３間に、軟性スリーブ１４を設置する(図６に示される)。
図３から図５に示されるように、実施時、可動リング１３を利用して、下ろくろ１２を上に押し上げて、傘骨２上、下縁に設置された第一傘面３、および、第二傘面５を傘骨２の形状に沿って開き、傘骨２下方の第二層傘面を形成して、第一傘面と二層効果を形成し、これにより、遮光、および、傘面の強度を増強し、且つ、第二傘面５に設置される傘骨２と第一傘面３は同一ユニットで、強度を増強すると同時に、コストも減少させる。また、軟性スリーブ１４の軟性材質は、傘を開くのに伴って、形態を変化させることができ、美観を達成することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１                中棒                                         
１１          上ろくろ                     
１２          下ろくろ
１３          可動リング                
１４          軟性スリーブ
２                   傘骨                        
３                第一傘面
４          穿設体
４１        支持棒
５          第二傘
【図１】
0003199695.tif 000003
【図２】
0003199695.tif 000004
【図３】
0003199695.tif 000005
【図４】
0003199695.tif 000006
【図５】
0003199695.tif 000007
【図６】
0003199695.tif 000008
(57)【要約】      （修正有）【課題】風呂マットを使用後手間をかけずに風呂マットのカビの発生を押えることができる風呂マットを提供する。【解決手段】風呂マット１の長辺側側面に凸部２を設けるため、板厚方向にほぼ中央で長辺側長さのほぼセンター振り分けで外寄り２か所に先がとがった先端側から段付き軸を側面にほぼ垂直に差し込み、太い径側面と風呂マット１の長辺側側面が接触するまで差し込んだり、他の方法は風呂マット１の長辺側側面の板厚方向にほぼ中央に穴をあけ長辺側長さのほぼセンター振り分けで外寄り２か所に軸を差し込んだ状態で風呂マット１を通常通り使用後は、差し込んだ軸側を下側にして、風呂マット１の裏面が浴槽４側になるようにして浴槽４に斜めに立てかけて乾燥させる。【選択図】図１
0003199649.tif 000002
【実用新案登録請求の範囲】
【請求項１】
風呂マットの長辺側の側面（板厚面）に少なくとも２か所の風呂マット干し用の凸部を設けたことを特徴とする風呂マット。
【請求項２】
風呂マットの長辺側の側面（板厚面）の風呂マット干し用の凸部が軸または段付き軸を差し込んで凸部を設けたことを特徴とする請求項１に記載の風呂マット。
【考案の詳細な説明】
【技術分野】
【０００１】
風呂マットを使用後、風呂マット全体を乾燥させることでカビの発生を抑えるための長辺側側面に凸部を設けたことを特徴する風呂マットに関する。
【背景技術】
【０００２】
風呂マットを使用後は浴槽に立てかけたり、風呂場内の壁に立てかけたりしているが、床と接触しているため、接触部が長時間乾燥できずにカビが発生しやすい状態となっており、一旦カビが発生するとその部分を起点としてカビが広がってしまう傾向にあった。
【先行技術文献】
【特許文献】
【０００３】
【特許文献１】特開２００２−５１９２６では壁に風呂マットホルダーを取り付け、風呂マットを宙に浮かしてカビ発生を防ぐ方法がとられているが、構造が複雑で高価となること、風呂マットを持ち上げて強いクリップを開いて挟まないといけないこと、クリップで挟んだ部分が変形してくること、クリップで挟んだ部分が乾燥しにくくカビが発生しやすい等の欠点があった。
【非特許文献】
【０００４】
【非特許文献１】風呂マットを使用後、タオル等で水分を拭き取ってカビの発生を抑える方法もあるが面倒である。
【考案の概要】
【考案が解決しようとする課題】
【０００５】
風呂マットを使用後手間をかけずに風呂マットのカビの発生を押える方法が求められる。
【課題を解決するための手段】
【０００６】
風呂マットの長辺側側面に凸部を設けるため、板厚方向にほぼ中央で長辺側長さのほぼセンター振り分けで外寄り２か所に先がとがった先端側から段付き軸（２ｂ）を側面にほぼ垂直に差し込み、太い径側面と風呂マット長辺側側面が接触するまで差し込んだり、他の方法は風呂マットの長辺側側面の板厚方向にほぼ中央に穴をあけ長辺側長さのほぼセンター振り分けで外寄り２か所に軸（２ａ）を差し込んだ状態で風呂マットを通常通り使用後は、差し込んだ軸側を下側にして、風呂マットの裏面が浴槽側になるようにして浴槽に斜めに立てかけて乾燥させる。風呂マットの裏面は吸盤加工等が施され凹凸があるため接触面積が少なくなり乾燥しやすい。
【考案の効果】
【０００７】
本考案の方法で風呂マットを１年使用し、カビの発生はない。
【図面の簡単な説明】
【０００８】
【図１】風呂マットを浴槽に立てかけて干すときの説明図
【図２】風呂マットに軸（２ａ）を差し込んだ時の正面図。
【図３】風呂マットに段付き軸（２ｂ）を差し込んだ時の正面図。
【図４】軸（２ａ）の正面図。
【図５】段付き軸（２ｂ）の正面図。
【考案を実施するための形態】
【０００９】
風呂マットの長辺側側面の板厚方向にほぼ中央で長辺側長さのほぼセンター振り分けで外寄り２か所に軸（２ａ）または段付き軸（２ｂ）を風呂マットの側面にほぼ垂直に差し込んだ状態で風呂マットを通常通り使用後は、差し込んだ軸側を下側にして、風呂マットの裏面が浴槽側になるようにして浴槽に斜めに立てかけて乾燥させることで風呂マットの表面全体を乾燥させることが出来、カビが発生しにくい。
【実施例】
【００１０】
市販の風呂マット（ＥＶＡ樹脂製、サイズ６０×８５ｃｍ、厚み２０ｍｍ）の長辺８５ｃｍ側側面（板厚２０ｍｍ）の中央で長辺８５ｃｍのセンター振り分けで左右３００ｍｍの位置に垂直に深さ１８ｍｍ、φ７ｍｍの穴をあけた。あけた穴に樹脂製のコンクリート用エビプラグφ８ｍｍ×３８ｍｍをＲ加工されている方から差し込み外側に２０ｍｍ露出していることを確認した。差し込む軸の材質は防錆加工がしてあれば金属でもよいが樹脂製のものが安価でよい。段付き軸（２ｂ）のような形状にすれば、下穴加工なしで、とがった先端（２ｂａ）の方から太い径（２ｂｃ）が風呂マットに接するまで差し込み凸部が完成する。段付き軸（２ｂ）の一例の寸法をあげればとがった先端（２ｂａ）から細い径（２ｂｂ）部の長さは２０ｍｍ、細い径（２ｂｂ）の外径は６ｍｍ、太い径（２ｂｃ）は外径１８ｍｍ程度がよい。風呂マットを浴槽に立てかけたとき差し込んだ細い径（２ｂｂ）が変形することがないような寸法であればよく、太い径（２ｂｃ）は風呂マットの板厚からはみ出さなければよい。
【産業上の利用可能性】
【００１１】
風呂マットは市販品が容易に入手できるし、凸部をつくる軸も容易に製造でき、干し方も容易であり、カビ防止に効果があるため多くの人々への活用が可能である。
【符号の説明】
【００１２】
１    風呂マット
２    凸部
２ａ    軸
２ｂ    段付き軸
２ｂａ    とがった先端
２ｂｂ    細い径
２ｂｃ    太い径
３      床
４      浴槽
【図１】
0003199649.tif 000003
【図２】
0003199649.tif 000004
【図３】
0003199649.tif 000005
【図４】
0003199649.tif 000006
【図５】
0003199649.tif 000007
(57)【要約】      （修正有）【課題】室内で気分を和らげている人々が加湿器を見れば直ちに抗菌体がどこにあるか分かるようにした加湿器用抗菌浮遊体を提供する。【解決手段】水槽内の水を気化させて、水蒸気又は霧（ミスト）を発生できる加湿器に収容して、水上に浮遊させて、外部から視見可能となし、抗菌状態で気化水蒸気又は霧（ミスト）を発散できる加湿器用抗菌浮遊体であって、抗菌物質を含有させた中空体１を魚、動物又は船舶など好みの形状に陶器、磁器又はプラスチックで形成し、かつ上部１ａに比し、下部１ｂを肉厚く、荷重を大きく変化させて浮遊状態で反転しないようにする。【選択図】図１
0003199643.tif 000002
【実用新案登録請求の範囲】
【請求項１】
水槽内の水を気化させて、水蒸気又は霧（ミスト）を発生できる加湿器に収容して、前記水上に浮遊させて、外部から視見可能となし、抗菌状態で気化水蒸気又は霧（ミスト）を発散できるものであって、抗菌物質を含有させた中空体を好みの形状に形成し、かつ上部に比し、下部を肉厚く、荷重を大きく変化させて浮遊状態で反転しないようにして成ることを特徴とする加湿器用抗菌浮遊体。
【請求項２】
好みの形成の前記中空体は、魚、動物又は船舶などの擬似立方体のうちの１つであることを特徴とする請求項１記載の加湿器用抗菌浮遊体。
【請求項３】
前記中空体は、陶器又は磁器或いはプラスチックのうちの１つであることを特徴とする請求項１又は２記載の加湿器用抗菌浮遊体。
【考案の詳細な説明】
【技術分野】
【０００１】
本考案は、加湿器に使用して目で楽しめる加湿器用抗菌浮遊体に関する。
【背景技術】
【０００２】
一般に、室内の乾燥を防止するものとして、蒸気を発生して湿度を適性に保持する加湿器が広く知られている。さらに、加湿に加えて抗菌処理された蒸気を散布できるようにした加湿器も知られている（例えば、特許文献１，２参照）。
【先行技術文献】
【特許文献】
【０００３】
【特許文献１】特開２００５−１４７４７３号公報
【特許文献２】実用新案登録第３０８７７０６号公報
【考案の概要】
【考案が解決しようとする課題】
【０００４】
上記した先行技術は、水中に埋設させた固形物であったり、水中に没入させたり、実際に使用している人々には具体的な形状は認め難いという課題があった。
【０００５】
しかも、抗菌物体が魚、動物又は船舶などの水上に浮遊する擬似物体として、使用者が楽しめるようにすると共に、心を和めせて、気分を爽快にできる加湿用抗菌浮遊体は知られていない。
【０００６】
本考案は叙上の点に着目して成されたもので、何人も器具を視見すれば、ガラスを透かして抗菌物体が見られるようにした加湿器用抗菌浮遊体を提供するにある。
【課題を解決するための手段】
【０００７】
この考案は下記の構成を備えることにより上記課題を解決できるものである。
【０００８】
（１）水槽内の水を気化させて、水蒸気又は霧（ミスト）を発生できる加湿器に収容して、前記水上に浮遊させて、外部から視見可能となし、抗菌状態で気化水蒸気又は霧（ミスト）を発散できるものであって、抗菌物質を含有させた中空体を好みの形状に形成し、かつ上部に比し、下部を肉厚く、荷重を大きく変化させて浮遊状態で反転しないようにして成ることを特徴とする加湿器用抗菌浮遊体。
【０００９】
（２）好みの形成の前記中空体は、魚、動物又は船舶などの擬似立方体のうちの１つであることを特徴とする前記（１）記載の加湿器用抗菌浮遊体。
【００１０】
（３）前記中空体は、陶器又は磁器或いはプラスチックのうちの１つであることを特徴とする前記（１）又は（２）記載の加湿器用抗菌浮遊体。
【考案の効果】
【００１１】
本考案によれば、水上で浮遊でき、しかも魚、動物または船舶などの擬似立方体には、抗菌物質が担持されているので、加湿器の水中に抗菌物質がイオン化状態で水を浄化できる。そして、排気される水蒸気又は霧（ミスト）は、室内の空気環境の湿度を正常状態に提供できると共に、擬似物体を眺めることができるので、心を和めせて、気分を爽快にして楽しむことができるという効果を奏する。さらに、加湿作用で花粉やＰＭ２．５の微粒子の落下を早めることができる。
【００１２】
また、擬似立方体は、上部に比して下部の荷重を大きくしているので、水中に浮遊する状態が反転など不都合を生じることがないなどの効果も有する。
【００１３】
さらに、擬似立方体は水上に浮遊しているので、擬似立方体の浮遊位置が下がれば、水量が減少して補給時期を判別できて、常に水量を十分な状態に保持して作動させることができる。
【００１４】
そして、透明な容器で水が認められる形態の加湿器には、形状の如何を問わず、簡単に投入して浮遊させて使用できるので、格別に加湿器自体に拘束されることはないなどの効果も有する。
【図面の簡単な説明】
【００１５】
【図１】本考案の一実施例を示す金魚に倣った加湿器用抗菌浮遊体を拡大して示すもので、（ａ）は正面図、（ｂ）は右側面図、（ｃ）は上面図、（ｄ）は縦断側面図
【図２】本考案の他例を示すもので、フグに倣った加湿器用抗菌浮遊体を拡大して示すもので、（ａ）は正面図、（ｂ）は右側面図、（ｃ）は上面図、（ｄ）は縦断側面図
【図３】既知の加湿器に本考案に係る加湿器用抗菌浮遊体を使用した場合を示す正面図
【図４】図３のＡ−Ａ線縦断面図
【考案を実施するための形態】
【００１６】
以下本考案実施するための最良の形態を、実施例により詳しく説明する。
【実施例】
【００１７】
図において、１は中空部２を有し、水上に浮遊できる中空体であって、上部１ａに比し、下部１ｂを肉厚く形成して荷重を大小変化させて、常に水上で反転しないで浮遊状態に保持させてあると共に、抗菌剤を担持させたセラミックス、即ち陶器、磁器とするか硬質プラスチックで一体成形し、かつ表面には赤、青などの彩色を施して、魚、動物又は船舶などに倣った擬似中空体として製造するものである。
【００１８】
図１では金魚のデザインを施した中空体１Ａを示し、図２ではフグのデザインを施した中空体１Ｂを示す。３は既存の加湿器であって、従来一般に知られている加湿機構Ｘを内蔵させた下部体４上に上部体５を被着させ、かつ上部体５は水槽として機能し、表裏面には透明なガラス面６，６を有し、さらに水蒸気又は霧（ミスト）の吐出口７を側面に開口してある。
【００１９】
この既存の加湿器３内に前記中空体１を入れ、上部体５の水槽の水面上で浮上させれば、中空体１に担持させた抗菌物質が水中にイオン化されて放出され、水を浄化させることができると共に、水蒸気又は霧（ミスト）も綺麗な湿気として水蒸気又は霧（ミスト）の吐出口７より室内に排気させて室内の乾燥状態を適正な湿度に浄化できる。
【００２０】
しかも室内の人々は、常にガラス面６，６の内部を眺めて浮遊する金魚やフグなどの中空体１Ａ，１Ｂを見て爽快な気分に加えて、リラックスした気分を保持して健康な生活を営むことができる。
【符号の説明】
【００２１】
１，１Ａ，１Ｂ  中空体
２    中空部
１ａ  上部
１ｂ  下部
３    加湿器
４    下部体
５    上部体
６    ガラス面
７    吐出口
Ｘ    加湿機構
【図１】
0003199643.tif 000003
【図２】
0003199643.tif 000004
【図３】
0003199643.tif 000005
【図４】
0003199643.tif 000006